(57)【要約】【課題】冷却流体による冷却効果を阻害せず、放熱性能を向上させることができる光学部品用筐体及びこの光学部品用筐体を備えたプロジェクタを提供すること。【解決手段】下ライトガイド５１の底面部５１２Ｂには、光学装置４４の熱が伝達されている。この底面部５１２Ｂの裏面には、孔５１２Ｂ５から排出された空気を孔５１２Ｂ４側へと導くダクト５１２Ｂ７が形成されている。ダクト５１２Ｂ７は、流路が直線状の直線部Ｌと、流路方向を変更する湾曲部Ｗとを有しており、直線部Ｌには、発泡体６が配置されている。発泡体６は、流路に直交する一方の端面と他方の端面との間を連続した孔を有しており、溶接、ろう付け、熱伝導性接着剤、熱伝導性両面テープの何れかにより、底面部５１２Ｂの裏面に接着されている【選択図】  図７
2004246055.tif 000002
【特許請求の範囲】
【請求項１】
複数の光学部品を収納するとともに、前記複数の光学部品を光源から射出された光束の照明光軸上の所定位置に配置する光学部品用筐体であって、
前記光学部品が接触するとともに、冷却流体により冷却される熱伝導性の外面部を有し、
この外面部には、熱伝導性の発泡体が取り付けられ、
この発泡体の孔は、前記冷却流体の流路に直交する一方の端面と他方の端面との間を連続していることを特徴とする光学部品用筐体。
【請求項２】
請求項１に記載の光学部品用筐体において、
前記外面部に接触する光学部品は、複数の色光を各色光毎に画像情報に応じて変調する複数の光変調装置と、各光変調装置から射出された光束の光学特性を変換する光学変換素子と、この光学変換素子の光束射出側に設けられ、光学変換素子からの各色光を合成する色合成光学装置とを備えた光学装置であることを特徴とする光学部品用筐体。
【請求項３】
請求項１又は２に記載の光学部品用筐体において、
前記外面部には、前記冷却流体の流路を形成するダクトが設けられ、
前記ダクト内に前記発泡体が配置されていることを特徴とする光学部品用筐体。
【請求項４】
請求項３に記載の光学部品用筐体において、
前記ダクトは、流路が略直線状の直線部と、流路方向を変更する湾曲部とを有し、
前記発泡体は、前記直線部にのみ配置されていることを特徴とする光学部品用筐体。
【請求項５】
請求項１から４の何れかに記載の光学部品用筐体において、
前記外面部は底面部であり、
この底面部と対向する上面部を有し、
この上面部には、熱伝導性の発泡体が取り付けられており、
この発泡体の孔は、前記上面部との当接面と、この当接面に対向する面との間を連続していることを特徴とする光学部品用筐体。
【請求項６】
請求項１から５の何れかに記載の光学部品用筐体において、
前記発泡体は、前記外面部に対し、溶接、ろう付け、熱伝導性接着剤、熱伝導性両面テープの何れかにより取り付けられることを特徴とする光学部品用筐体。
【請求項７】
請求項１から６の何れかに記載の光学部品用筐体を備えたことを特徴とするプロジェクタ。
【発明の詳細な説明】
【０００１】
【発明の属する技術分野】
本発明は、光学部品用筐体及びプロジェクタに関する。
【０００２】
【背景技術】
従来から、光源から射出された光束を照明光学系により照射面内強度を均一にし、色分離光学系で赤色光、緑色光、青色光の三色光に分離し、各色光毎に光変調装置により変調を行った後、色合成光学系で変調後の各色光を合成して、投写光学系からカラー画像を拡大投写するプロジェクタが知られている。
このようなプロジェクタの光学系は、それぞれ複数の光学部品を備えている。例えば、照明光学系は光源から射出された光束を複数の部分光束に分割するインテグレータレンズや部分光束を集光するコンデンサレンズを備えており、また、色合成光学系は、クロスダイクロイックプリズム（色合成光学装置）を備えている。
これらの複数の光学部品は、ライトガイドと呼ばれる金属製の光学部品用筐体に収納されており、各光学部品から発生する熱は、光学部品用筐体に伝達される構成となっている（例えば、特許文献１）。
このような光学部品用筐体の冷却は、筐体の外面部に冷却空気を当てるとともに、筐体の放熱性能を向上させる方法で行われている。放熱性能を向上させる方法としては、例えば、下ライトガイドの底面にフィン状のリブを設け放熱面積を増やす方法、あるいは、下ライトガイドの底面にヒートシンクをセットして放熱面積を増やす方法等がある。
【０００３】
【特許文献１】
特開２０００−１９６４５号公報（第４頁、図４参照）
【０００４】
【発明が解決しようとする課題】
しかし、このような方法では、ライトガイド全体に対する面積の増加比率を充分に高めることができないため、放熱性能の向上はあまり期待できない。
また、フィン状のリブやヒートシンクを設ける位置等によっては、冷却空気の流れを阻害することなり、圧力損失が生じて効率的に冷却を行うことが困難となる可能性もある。
【０００５】
本発明の目的は、冷却流体による冷却効果を阻害せず、放熱性能を向上させることができる光学部品用筐体及びこの光学部品用筐体を備えたプロジェクタを提供することである。
【０００６】
【課題を解決するための手段】
本発明の光学部品用筐体は、複数の光学部品を収納するとともに、前記複数の光学部品を光源から射出された光束の照明光軸上の所定位置に配置する光学部品用筐体であって、前記光学部品が接触するとともに、冷却流体により冷却される熱伝導性の外面部を有し、この外面部には、熱伝導性の発泡体が取り付けられ、この発泡体の孔は、前記冷却流体の流路に直交する一方の端面と他方の端面との間を連続していることを特徴とする。
ここで、外面部に光学部品が接触するとは、外面部に光学部品が直接接していてもよく、他の部材を介して光学部品が間接的に接していてもよい。すなわち、光学部品から発生する熱が外面部に伝達される構成であればよい。
また、複数の光学部品のうち、すべての光学部品が外面部に接触していてもよく、一部の光学部品のみが外面部に接触していてもよい。
【０００７】
本発明によれば、光学部品用筐体の外面部に、熱伝導性の発泡体が取り付けられている。この発泡体は、多くの孔を有するものであり、従来のフィン状のリブやヒートシンクに比べ、表面積が大きいため、大幅に放熱性能を向上させることができる。
また、光学部品用筐体の外面部に取り付けられた発泡体は、その孔が冷却流体の流路に直交する一方の端面と他方の端面との間を連続したものであるため、冷却流体に対する抵抗が少なく、圧力損失を抑えることができる。従って、冷却流体による冷却効果を損なわず、かつ、放熱性能を向上させることができ、効率的に冷却を行うことができる。
このように、光学部品用筐体の冷却効率を向上させることができるので、外面部に接している光学部品の放熱を効果的に行うことができる。
【０００８】
本発明では、前記外面部に接触する光学部品は、複数の色光を各色光毎に画像情報に応じて変調する複数の光変調装置と、各光変調装置から射出された光束の光学特性を変換する光学変換素子と、この光学変換素子の光束射出側に設けられ、光学変換素子からの各色光を合成する色合成光学装置とを備えた光学装置であることが好ましい。
光学変換素子では、入射光束の一部が熱に変換されるため、多くの熱を発する。また、光変調装置においても、光吸収が行われるため、熱が発生しやすい。そのため、これらを備えた光学装置は多くの熱を発することとなる。前述したように、外面部は、放熱面積が拡大され、また、冷却流体による冷却効果も確保されているので、このような光学装置を外面部に接触させることで、光学装置の熱を効率よく逃がすことができる。
【０００９】
本発明では、前記外面部には、前記冷却流体の流路を形成するダクトが設けられており、前記ダクト内に前記発泡体が配置されていることが好ましい。
この発明によれば、筐体の外面部に冷却流体の流路を形成するダクト内に発泡体を所定方向に配置すればよいので、発泡体の取付けを容易化することができる。
【００１０】
本発明では、前記ダクトは、前記ダクトは、流路が略直線状の直線部と、流路方向を変更する湾曲部とを有し、前記発泡体は、前記直線部にのみ配置されていることが好ましい。
湾曲部に発泡体を配置する場合には、発泡体の孔が潰れないように配置しなければならず、配置に手間がかかる。これに対し、本発明では、直線部にのみ発泡体を配置し、湾曲部には、発泡体を配置しない構成としたので、発泡体の配置に手間を要しない。
【００１１】
本発明では、前記外面部は底面部であり、この底面部と対向する上面部を有し、この上面部には、熱伝導性の発泡体が取り付けられており、この発泡体の孔は、前記上面部との当接面と、この当接面に対向する面との間を連続していることが好ましい。
本発明によれば、筐体の上面部に熱伝導性の発泡体を取り付けることで、筐体の放熱面積をさらに拡大することができる。
また、通常、筐体付近の暖かい空気は、自然対流により、上方へあがってゆく。本発明では、筐体の上面部に取り付けられた発泡体の孔は、上面部との当接面及びこの当接面に対向する面間を連続しているので、自然対流による空気の流れをじゃますることなく、放熱効率を向上させることができる。
【００１２】
本発明では、前記発泡体は、前記外面部に対し、溶接、ろう付け、熱伝導性接着剤、熱伝導性両面テープの何れかにより取り付けられることが好ましい。
溶接、ろう付け、熱伝導性接着剤、熱伝導性両面テープの何れかにより、熱伝導性の発泡体を光学部品用筐体の外面部に取り付けることで、外面部から発泡体への熱の伝達を阻害することがない。そのため、効率よく、筐体の冷却を行うことができる。
【００１３】
本発明のプロジェクタは、上述した何れかに記載の光学部品用筐体を備えたことを特徴とする。
本発明では、上述した何れかの光学部品用筐体を備えているので、光学部品用筐体と同様の効果を奏することができる。すなわち、冷却流体による冷却効果を阻害せず、放熱性能を向上させることができるという効果を奏することができる。さらに、このような放熱効率の高い光学部品用筐体を備えているので、光学部品用筐体を冷却するための冷却流体を導くファンの回転数を減少させることができ、プロジェクタの低騒音化及び小型化を図ることができる。
【００１４】
【発明の実施の形態】
以下、本発明の第一実施形態を図面に基づいて説明する。
〔１−１．プロジェクタの主な構成〕
図１は、本発明の第一実施形態に係るプロジェクタ１を上方から見た全体斜視図、図２は、図１の状態からアッパーケース２１を外した分解斜視図である。
プロジェクタ１は、全体略直方体形状の外装ケース２と、プロジェクタ１内に滞留する熱を冷却する冷却ユニット３と、光源から射出された光束を光学的に処理して画像情報に対応した光学像を形成する光学ユニット４とを備えて構成されている。
なお、図２において、具体的な図示を省略するが、外装ケース２内の光学ユニット４以外の空間には、電源ブロックやランプ駆動回路等が収納される。
外装ケース２は、それぞれ金属で構成され、プロジェクタ１の天面、前面、および側面をそれぞれ構成するアッパーケース２１と、プロジェクタ１の底面、側面、および背面をそれぞれ構成するロアーケース２２とで構成されている。これらのケース２１，２２は互いにねじで固定されている。
【００１５】
アッパーケース２１は、上面部２１１と、その周囲に設けられた側面部２１２と、背面部２１３と、正面部２１４で形成されている。
上面部２１１には、後述する光学装置の上方に位置し、前記冷却ユニット３によって外部から冷却空気を吸引するための吸気口２１１Ａが設けられている。
側面部２１２（正面から見て右側面）には、前記冷却ユニット３によって、プロジェクタ１内部で温められた空気を排出するための排気口２１２Ａが設けられている。
【００１６】
背面部２１３には、具体的な図示は省略するが、コンピュータ接続用の接続部や、ビデオ入力端子、オーディオ機器接続端子等の各種の機器接続用端子が設けられており、該背面部２１３の内側には、映像信号等の信号処理を行う信号処理回路が実装されたインターフェース基板が配置されている。
正面部２１４には、切欠部２１４Ａが形成されており、前記ロアーケース２２と組み合わされた状態で、円形の開口部２Ａを形成し、この開口部２Ａから、外装ケース２内部に配置された光学ユニット４の一部が、外部に露出している。この開口部２Ａを通して光学ユニット４で形成された光学像が射出され、スクリーン上に画像が表示される。
【００１７】
ロアーケース２２は、底面部２２１と、その周囲に設けられた側面部２２２と、背面部２２３と、正面部２２４で形成されている。
底面部２２１には、図示は省略するが、前記光学ユニット４の下方に位置し、後述する光源装置を着脱する開口部が形成されており、該開口部には、ランプカバーが嵌め込み式で着脱可能に設けられている。
正面部２２４には、切欠部２２４Ａが形成され、前記アッパーケース２１と組み合わされた状態で、上述した切欠部２１４Ａと連続して円形の開口部２Ａを形成する。
【００１８】
冷却ユニット３は、プロジェクタ１の内部に形成される冷却流路に冷却空気を送り込み、プロジェクタ１内で発生する熱を冷却するものであり、上記光学ユニット４の光学装置４４（図１０参照）の上方に位置し、アッパーケース２１の上面部２１１に形成された吸気口２１１Ａから冷却空気を吸引する軸流吸気ファン３１と、上記光学ユニット４の光源装置４１１の近傍に位置し、光学ユニット４内およびプロジェクタ１内の空気を引き寄せ、アッパーケース２１の側面部２１２に形成された排気口２１２Ａから温められた空気を排出するシロッコファン３２とを備えて構成されている。
【００１９】
光学ユニット４は、光源装置４１１から射出された光束を、光学的に処理して画像情報に対応した光学像を形成するユニットであり、後述する光源ランプ４１６、楕円面鏡４１７と、複数の光学部品４１１Ａ、４１２〜４１５、４１８、４２１〜４２３、４３１〜４３４、４４１〜４４４、４６と、これらを収納する光学部品用筐体５とを備えている。
具体的な図示は省略するが、この光学ユニット４は、電源ケーブルを通して電力が供給され、供給された電力を該光学ユニット４の光源装置４１１に供給するための電源装置と電気的に接続している。
また、この光学ユニット４の上方には、画像情報に応じた光学像を投写するために、画像情報を取り込んで制御および演算処理等を行い、後述する各液晶パネル４４１Ｒ，４４１Ｇ，４４１Ｂを制御する制御基板が配置される。
【００２０】
図３の模式図を参照して光学ユニット４の光学系を説明する。
光学ユニット４は、インテグレータ照明光学系４１、色分離光学系４２、リレー光学系４３、光学装置４４、および投写レンズ４６を備えている。
インテグレータ照明光学系４１は、光学装置４４を構成する３枚の液晶パネル４４１（赤、緑、青の色光毎にそれぞれ液晶パネル４４１Ｒ，４４１Ｇ，４４１Ｂと示す）の画像形成領域をほぼ均一に照明するための光学系であり、光源装置４１１と、第一レンズアレイ４１２と、第二レンズアレイ４１３と、偏光変換光学素子４１４と、重畳レンズ４１５とを備えている。
【００２１】
これらのうち、光源装置４１１は、放射状の光線を射出する光源である光源ランプ４１６と、この光源ランプ４１６から射出された放射光を反射する楕円面鏡４１７と、光源ランプ４１６から射出され楕円面鏡４１７により反射された光を平行光とする平行化凹レンズ４１１Ａとを備える。なお、平行化凹レンズ４１１Ａの平面部分には、図示しないＵＶフィルタが設けられている。また、光源ランプ４１６としては、ハロゲンランプやメタルハライドランプ、高圧水銀ランプが多用される。さらに、楕円面鏡４１７および平行化凹レンズ４１１Ａの代わりに、放物面鏡を用いてもよい。
【００２２】
また、第一レンズアレイ４１２、第二レンズアレイ４１３、および偏光変換光学素子４１４は、一体的に組み合わされて光学部品用筐体５内に設置固定される。
第一レンズアレイ４１２は、光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、液晶パネル４４１の画像形成領域の形状とほぼ相似形をなすように設定されている。
【００２３】
第二レンズアレイ４１３は、第一レンズアレイ４１２と略同様な構成を有しており、小レンズがマトリクス状に配列された構成を有している。この第二レンズアレイ４１２は、重畳レンズ４１５とともに、第一レンズアレイ４１２の各小レンズの像を液晶パネル４４１上に結像させる機能を有している。
【００２４】
偏光変換光学素子４１４は、第二レンズアレイ４１３と重畳レンズ４１５との間に配置されるとともに、第二レンズアレイ４１３と一体でユニット化されている。このような偏光変換光学素子４１４は、第二レンズアレイ４１３からの光を１種類の偏光光に変換するものであり、これにより、光学装置４４での光の利用効率が高められている。
【００２５】
具体的に、偏光変換光学素子４１４によって１種類の偏光光に変換された各部分光は、重畳レンズ４１５によって最終的に光学装置４４の液晶パネル４４１Ｒ，４４１Ｇ，４４１Ｂ上にほぼ重畳される。偏光光を変調するタイプの液晶パネルを用いたプロジェクタでは、１種類の偏光光しか利用できないため、ランダムな偏光光を発する光源ランプ４１６からの光のほぼ半分を利用することができない。
そこで、偏光変換光学素子４１４を用いることにより、光源ランプ４１６からの射出光をほぼ１種類の偏光光に変換し、光学装置４４での光の利用効率を高めている。なお、このような偏光変換光学素子４１４は、たとえば特開平８−３０４７３９号公報に紹介されている。
【００２６】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤、緑、青の３色の色光に分離する機能を有している。
【００２７】
リレー光学系４３は、入射側レンズ４３１、リレーレンズ４３３、および反射ミラー４３２、４３４を備え、色分離光学系４２で分離された色光、赤色光を液晶パネル４４１Ｒまで導く機能を有している。
【００２８】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って青色用の液晶パネル４４１Ｂに達する。このフィールドレンズ４１８は、第二レンズアレイ４１３から射出された各部分光束をその中心軸（主光線）に対して平行な光束に変換する。他の液晶パネル４４１Ｇ、４４１Ｒの光入射側に設けられたフィールドレンズ４１８も同様である。
【００２９】
ダイクロイックミラー４２１を透過した赤色光と緑色光のうちで、緑色光はダイクロイックミラー４２２によって反射し、フィールドレンズ４１８を通って緑色用の液晶パネル４４１Ｇに達する。一方、赤色光はダイクロイックミラー４２２を透過してリレー光学系４３を通り、さらにフィールドレンズ４１８を通って赤色光用の液晶パネル４４１Ｒに達する。なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。
なお、リレー光学系４３には、３つの色光のうち、赤色光を通す構成としたが、これに限らず、例えば、青色光を通す構成としてもよい。
【００３０】
光学装置４４は、色分離光学系４２で分離された各色光が入射される３枚の入射側偏光板４４２と、各入射側偏光板４４２の後段に配置される光変調装置としての液晶パネル４４１Ｒ，４４１Ｇ，４４１Ｂと、各液晶パネル４４１Ｒ，４４１Ｇ，４４１Ｂの後段に配置される射出側偏光板４４３と、色合成光学系としてのクロスダイクロイックプリズム４４４（色合成光学装置）とを備える。
【００３１】
液晶パネル４４１Ｒ，４４１Ｇ，４４１Ｂは、例えば、ポリシリコンＴＦＴをスイッチング素子として用いたものであり、色分離光学系４２で分離された各色光は、これら３枚の液晶パネル４４１Ｒ，４４１Ｇ，４４１Ｂと入射側偏光板４４２および射出側偏光板４４３によって、画像情報に応じて変調されて光学像を形成する。
具体的には後述するが、液晶パネル４４１Ｒ，４４１Ｇ，４４１Ｂは、ＴＦＴのスイッチング素子がマトリックス状に配列し、該スイッチング素子によって電圧が印加される画素電極を備えた駆動基板と、画素電極に対応して対向電極を備えた対向基板とを備えている。
【００３２】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４１８に貼り付けてもよい。
射出側偏光板４４３も、入射側偏光板４４２と略同様に構成され、サファイアガラス等の基板４４３Ｂに偏光膜４４３Ａが貼付されたものである（図５参照）。この射出側偏光板４４３は、液晶パネル４４１（４４１Ｒ，４４１Ｇ，４４１Ｂ）から射出された光束のうち、所定方向の偏光光のみ透過させ、その他の光束を吸収する。なお、基板を用いずに、偏光膜をクロスダイクロイックプリズム４４４に貼り付けてもよい。
これらの入射側偏光板４４２および射出側偏光板４４３は、互いの偏光軸の方向が直交するように設定されている。
【００３３】
クロスダイクロイックプリズム４４４は、３枚の液晶パネル４４１Ｒ，４４１Ｇ，４４１Ｂから射出された各色光毎に変調された画像を合成してカラー画像を形成するものである。なお、クロスダイクロイックプリズム４４４には、赤色光を反射する誘電体多層膜と青色光を反射する誘電体多層膜とが、４つの直角プリズムの界面に沿って略Ｘ字状に形成され、これらの誘電体多層膜によって３つの色光が合成される。そして、プリズム４４４で合成されたカラー画像は、投写レンズ４６から射出され、スクリーン上に拡大投写される。
【００３４】
以上説明した光学装置４４の液晶パネル４４１、射出側偏光板４４３およびクロスダイクロイックプリズム４４４は、一体的にユニット化された光学装置本体４５として構成されている。
光学装置本体４５は、図４及び図５に示すように、上述したクロスダイクロイックプリズム４４４、液晶パネル４４１、射出側偏光板４４３の他に、台座４４５、保持枠４４６、熱伝導板４４７、スペーサ４４９とを備えている。なお、図４においては、熱伝導板４４７は省略されている。
【００３５】
台座４４５は、光学装置本体４５を光学部品用筐体５に固定するものであり、クロスダイクロイックプリズム４４４の上下両面に固定されている。この台座４４５は、熱伝導率の高いアルミニウムで構成され、その外周形状はクロスダイクロイックプリズム４４４と略同一である。
本実施形態では、台座４４５は、アルミニウムで構成されているとしたが、これに限らず、マグネシウム合金、銅等の熱伝導率の高い材料、若しくは、サファイア、水晶、螢石、熱伝導性樹脂等で形成されていてもよい。
【００３６】
保持枠４４６は、液晶パネル４４１を収容する凹型の収容部４４６Ａを有する。
また、保持枠４４６には、収納された液晶パネル４４１のパネル面に対応する位置に、開口部４４６Ｃが設けられており、この開口部４４６Ｃで露出する部分が画像形成領域となる。すなわち、液晶パネル４４１のこの部分に各色光Ｒ，Ｇ，Ｂが導入され、画像情報に応じて光学像が形成される。
さらに、保持枠４４６の光束射出側端面の左右端縁には、斜面４４６Ｄが形成されており、この斜面４４６Ｄに、スペーサ４４９が対向配置される。
【００３７】
ここで、液晶パネル４４１について説明する。液晶パネル４４１は、駆動基板４４１Ａ（例えば複数のライン状の電極と、画素を構成する電極と、これらの間に電気的に接続されたＴＦＴ素子とが形成された基板）と対向基板４４１Ｃ（例えば、共通電極が形成された基板）との間に液晶が封入されたものである。そして、これらの基板４４１Ａ，４４１Ｃの間から制御用ケーブル４４１Ｄが延びている。また、これらの基板４４１Ａまたは４４１Ｃ上の表面には、光透過性の射出側防塵板４４１Ｅおよび入射側防塵板４４１Ｆが固着されている。
【００３８】
射出側防塵板４４１Ｅおよび入射側防塵板４４１Ｆは、サファイアや石英等の熱伝導性のよい板体から構成されている。この防塵板４４１Ｅ，４４１Ｆは、液晶パネル４４１の光束射出側および光束入射側において、投写レンズ４６のバックフォーカス位置から液晶パネル４４１のパネル面の位置をずらして、光学的にパネル表面に付着したゴミを目立たなくする機能を有している。
なお、射出側防塵板４４１Ｅおよび入射側防塵板４４１Ｆの外周には、熱伝導性のシリコン系接着剤による縁取りが形成されており、保持枠４４６の収容部４４６Ａの側面や開口部４４６Ｃの内周と射出側防塵板４４１Ｅおよび入射側防塵板４４１Ｆの外周とが接着されるようになっている。
【００３９】
熱伝導板４４７は、アルミニウムからなる板材であって、保持枠４４６の開口部４４６Ｃに対応した開口部４４７Ａを有し、保持枠４４６の光束入射側面に密着して固定されるようになっている。
さらに、熱伝導板４４７は、保持枠４４６に収納される液晶パネル４４１の光束入射面に沿って側方に延出し、この延出方向の両端部には液晶パネル４４１側に折り曲げられた折曲部４４７Ｂが設けられている。この折曲部４４７Ｂは、所定角度として９０度未満の折り曲げ角度で形成されており、光学装置本体４５を光学部品用筐体５の所定位置に取り付けた状態で、熱伝導枠５１３，５１４の壁部５１３Ｂ，５１４Ｂ（後述）に当接され、略９０度に折れ曲がるようになっている。
なお、熱伝導板４４７は、アルミニウムで構成されているが、これに限らず、銅やマグネシウム、およびこれらを含有する合金のいずれかから構成されていてもよい。
【００４０】
スペーサ４４９は、保持枠４４６と射出側偏光板４４３の基板４４３Ｂとの間に介在し、保持枠４４６の位置調整を行うものであり、断面略三角形の形状を有し、アクリルやウレタン等の断熱性を有した樹脂類から構成されている。
このスペーサ４４９は、各保持枠４４６に２つずつ（計６個）配置され、保持枠４４６の斜面４４６Ｄに当接しており、該スペーサ４４９の移動により、保持枠４４６を移動させ、投写レンズ４６からのバックフォーカス位置に各液晶パネル４４１Ｒ，４４１Ｇ，４４１Ｂを位置調整する。
【００４１】
〔１−２．光学部品用筐体の構造〕
図６に光学ユニット４の光学部品用筐体５を示す。
光学部品用筐体５は、金属製であり、ロアーケース２２の右側の側面部２２２から背面部２２３に沿って、さらに、左側の側面部２２２に沿って正面部２１４へと延びる平面略Ｌ字形状となっている（図２参照）。
光学部品用筐体５は、光源ランプ４１６、楕円面鏡４１７、各光学部品４１１Ａ、４１２〜４１５、４１８、４２１〜４２３、４３１〜４３４、４４１〜４４４、４６を収納する下ライトガイド５１と、この下ライトガイド５１上に設けられた上ライトガイド５２とを備えている。
下ライトガイド５１は、光源ランプ４１６と、楕円面鏡４１７とを収納する光源収納部５１１と、各光学部品４１１Ａ、４１２〜４１５、４１８、４２１〜４２３、４３１〜４３４、４４１〜４４４、４６を収納する光学部品収納部５１２とを備えている。
【００４２】
図６及び図７を参照して光源収納部５１１について詳細に説明する。
光源収納部５１１は、下方が開放され、かつ、内側面に矩形状の開口部５１１Ａを有する箱形形状を有しており、この内部に光源装置４１１が収納される。具体的には、光源装置４１１は、固定板４１１Ｂに載置固定され、光源収納部５１１の下方から固定板４１１Ｂとともに収納される。
【００４３】
この固定板４１１Ｂは、光源装置４１１から射出される光束に沿って高さ寸法が異なり、光源装置４１１の楕円面鏡４１７の中央部分から前方にかけての高さ寸法が光源装置４１１の高さ寸法と略同一で、楕円面鏡４１７の後方部分は、光源装置４１１の高さ寸法より低く形成されている。
光源装置４１１を固定板４１１Ｂと共に光源収納部５１１に収納した状態では、開口部５１１Ａと固定板４１１Ｂとにより、光源装置４１１の前方部分が、閉塞状態となり、後方部分が、吹き抜け状態となっている。
【００４４】
この光源装置４１１の前方部分における閉塞状態により、光源装置４１１から射出される光束を外部に漏洩することを防止することができ、後方部分における吹き抜け状態により、光源収納部５１１内部に光源装置４１１に発生する熱が滞留しないような構造となっている。
【００４５】
また、光源収納部５１１の上面部には、熱伝導性の発泡体６が設置されており、溶接、ろう付け、熱伝導性接着剤、熱伝導性両面テープの何れかにより、接着されている。
この発泡体６は、例えば、ニッケル、銅、銀等の金属発泡体であり、気泡率が９０〜９８％程度である。また、この発泡体６の孔径は、５０μｍ〜６００μｍ程度であり、上面部との当接面及びこの当接面に対向する面との間を連続している。
このような発泡体６は、発泡ウレタンに導電性処理を施し、ニッケル、銅、銀等の金属めっきを行い、その後、ウレタンを加熱除去する「めっき法」や、発泡ウレタンに金属粉末スラリーを塗布し、焼結するとともに、ウレタンを除去する「スラリー塗布法」、金属粉末スラリーに界面活性剤と蒸発型発泡剤を添加し、薄膜を形成後、発泡剤を揮発させて直接スラリーを発泡させ、脱脂焼結する「スラリー発泡法」等の方法により製造される。なかでも、スラリー発泡法により製造された発泡体を用いることが好ましい。スラリー発泡法で製造された発泡体は、他の製造方法により製造された発泡体に比べ、高い比表面積を有する。また、他の製造方法により製造された発泡体は、骨格が中空であるのに対し、スラリー発泡法で製造された発泡体は発泡体の骨格が中実であるため、高い強度を有する。
【００４６】
次に、図７及び図８を参照して光学部品収納部５１２について詳細に説明する。
光学部品収納部５１２は、各光学部品４１１Ａ、４１２〜４１５、４１８、４２１〜４２３、４３１〜４３４、４４１〜４４４、４６を光源ランプ４１６から射出された光束の照明光軸上の所定位置に配置するものであり、光学部品収納用の開口部と、この開口部と対向配置された底面部５１２Ｂと、この底面部５１２Ｂから立ち上がった側面部５１２Ａとを備えている。この側面部５１２Ａと、底面部５１２Ｂとは光学部品用筐体５の外面部を構成するものである。
【００４７】
図８に示すように、側面部５１２Ａの内側面には、平行化凹レンズ４１１Ａと、第一レンズアレイ４１２、第二レンズアレイ４１３、偏光変換光学素子４１４が一体化されたユニットと、重畳レンズ４１５とを上方からスライド式に嵌め込むための第一溝部５１２Ａ１と、入射側レンズ４３１、反射ミラー４３２、リレーレンズ４３３を上方からスライド式に嵌め込むための第二溝部５１２Ａ２とが形成されている。
また、側面部５１２Ａの正面部分には、光学装置４４からの光束射出位置に対応して円形の孔５１２Ａ３が形成されており、この孔５１２Ａ３の光束射出側には、投写レンズ設置部分５１５が形成されている。この投写レンズ設置部分５１５には、投写レンズ４６が設置され、光学装置４４から光束を拡大投写する。
【００４８】
底面部５１２Ｂには、ダイクロイックミラー４２１を支持する第一ボス部５１２Ｂ１と、上記第二溝部５１２Ａ２に対応した溝を有する第二ボス部５１２Ｂ２と、入射側偏光板４４２を支持する偏光板ホルダ５１２Ｂ３が突設されている。この偏光板ホルダ５１２Ｂ３は熱伝導性材料、例えば、アルミニウム合金等の金属で構成されていることが好ましい。
さらに、底面部５１２Ｂには、偏光変換光学素子４１４を含むユニットを冷却するための吸気口５１２Ｂ４と、光学装置４４の液晶パネル４４１位置に対応して形成された孔５１２Ｂ５と、孔５１２Ｂ５で囲まれた中央部分に孔５１２Ｂ６（図７参照）が形成されている。孔５１２Ｂ５は、光学部品用筐体５内部の空気を排出するための排出口である。また、孔５１２Ｂ６は、光学装置本体４５を固定するためのものである。
【００４９】
また、底面部５１２Ｂには、光学装置４４の液晶パネル４４１に対応して熱伝導枠５１３，５１４が取り付けられている。すなわち、熱伝導枠５１３は、液晶パネル４４１Ｒ，４４１Ｇの側方および液晶パネル４４１Ｇ，４４１Ｂの側方の２箇所に設けられ、熱伝導枠５１４は、液晶パネル４４１Ｒ，４４１Ｂの側方であって、光学装置４４の光束射出側に設けられている。この熱伝導枠５１３，５１４は、底面部５１２Ｂに沿って進退自在となっている。
熱伝導枠５１３，５１４は、アルミニウム合金等の金属や熱伝導性樹脂等の熱伝導率の高い材料から形成され、下ライトガイド５１の底面部５１２Ｂに沿った取付部５１３Ａ，５１４Ａと、壁体としての壁部５１３Ｂ，５１４Ｂとを備えている。
熱伝導枠５１３，５１４の壁部５１３Ｂ，５１４Ｂ同士は、液晶パネル４４１を挟んで、互いに対向して配置されており、これらの壁部５１３Ｂ，５１４Ｂには、前述した熱伝導板４４７が当接している。また、熱伝導枠５１４の壁部５１４Ｂには、光学装置４４からの光束射出位置に対応して矩形の孔５１４Ｂ１が形成されている。
【００５０】
さらに、図７に示すように、底面部５１２Ｂの裏面には、下ライトガイド５１とロアーケース２２の底面部２２１が当接した状態で、孔５１２Ｂ５から排出された空気を孔５１２Ｂ４側へと導くダクト５１２Ｂ７が形成されている。このダクト５１２Ｂ７は、底面部５１２Ｂと、この底面部５１２Ｂからロアーケース２２の底面部２２１側に突出したリブと、ロアーケース２２の底面部２２１とで構成されるものである。
このようなダクト５１２Ｂ７は、流路が直線状の直線部Ｌと、流路方向を変更する湾曲部Ｗとを有しており、直線部Ｌには、光源収納部５１１の上面部に配置された発泡体６と同様の発泡体６が配置されている。
この発泡体６は、流路に直交する一方の端面と他方の端面との間を連続した孔を有しており、光源収納部５１１と同様に、溶接、ろう付け、熱伝導性接着剤、熱伝導性両面テープの何れかにより、底面部５１２Ｂの裏面に接着されている。
【００５１】
次に、図６に戻って、上ライトガイド５２について説明する。上ライトガイド５２は、下ライトガイド５１の光学部品収納部５１２の開口を閉塞するものであり、光学装置４４の上部に配置される第一上ライトガイド５２１と、それ以外の部分に配置される第二上ライトガイド５２２とを備えている。
第一上ライトガイド５２１には、液晶パネル４４１に応じた位置に、冷却空気取り込み用の３つの孔５２１Ａが形成されている。この孔５２１Ａには、冷却ユニット３の軸流吸気ファン３１により外装ケース２内部に取り込まれた冷却空気が導入される。
【００５２】
第二上ライトガイド５２２は、下ライトガイド５１の第一溝部５１２Ａ１および第二溝部５１２Ａ２によって支持されることのない光学部品、反射ミラー４２３、ダイクロイックミラー４２２、反射ミラー４３４を支持するものである。
第二上ライトガイド５２２の上記光学部品位置に対応した部分には、調整部５２２Ａが設置されており、この調整部５２２Ａにより上記光学部品の姿勢調整を行い、各色光の照明光軸の調整を行うことができる。
【００５３】
〔１−３．冷却ユニットによる冷却構造〕
次に、このようなプロジェクタ１の冷却構造について説明する。プロジェクタ１では、光学装置４４を主に冷却するパネル冷却系Ａと、光源装置４１１を主に冷却する光源冷却系Ｂとを備えている。
パネル冷却系Ａでは、図９に示すように、光学装置４４の上方に配置された軸流吸気ファン３１が用いられている。軸流吸気ファン３１によって、アッパーケース２１の上面部２１１の吸気口２１１Ａから吸引された冷却空気は、光学装置４４の上方まで導かれる。ここで、上ライトガイド５２の第一上ライトガイド５２１には、孔５２１Ａが形成されているので、上記軸流吸気ファン３１によって、吸引された冷却空気を光学部品用筐体５内に取り込むことができる。
【００５４】
図１０に示すように、光学部品用筐体５内に取り込まれた冷却空気は、台座４４５の上面を冷却しつつ、スペーサ４４９によって形成された偏光板４４３と保持枠４４６との間の隙間、または保持枠４４６の光束入射側に入り込み、各液晶パネル４４１Ｒ，４４１Ｇ，４４１Ｂの光束射出側および光束入射側、保持枠４４６、偏光板４４２，４４３を冷却する。そして、この空気は、下ライトガイド５１の底面部５１２Ｂに形成された孔５１２Ｂ５を通過し、光学部品用筐体５外部へと排出される。
【００５５】
この光学部品用筐体５外部に排出された空気は、ダクト５１２Ｂ７に導かれる。ダクト５１２Ｂ７の直線部には発泡体６が配置されているため、空気は、この発泡体６の孔を通り、光学ユニット４の前方側に送風される。
さらに、この空気は、最終的に光源装置４１１の近傍に配置されたシロッコファン３２に引き寄せられ、アッパーケース２１の側面部２１２に形成された排気口２１２Ａを通して排出される。
【００５６】
ここで、パネル冷却系Ａによる冷却空気は、光学装置４４を冷却する役割のみならず、液晶パネル４４１Ｒ，４４１Ｇ，４４１Ｂの表面に吹きつけられることで、パネル表面に付着した塵等を吹き飛ばす役割をも有している。パネル冷却系Ａにより、液晶パネル４４１Ｒ，４４１Ｇ，４４１Ｂの表面を常に清浄することができるから、プロジェクタ１において、安定した画質の光学画像をスクリーン等に投写できるようになる。
【００５７】
光源冷却系Ｂでは、図１０及び図１１に示すように、光源装置４１１の近傍に設けられたシロッコファン３２が用いられている。
シロッコファン３２の吸気口は、下ライトガイド５１の光源収納部５１１の側面に形成された開口部５１１Ａと、光源装置４１１を載置固定する固定板４１１Ｂとで形成される矩形状の隙間に対向配置されている。
【００５８】
上記パネル冷却系Ａにおいて、光学装置４４を冷却した空気の一部は、シロッコファン３２により、光学部品用筐体５内を通って、光源装置４１１の後方側へと引き寄せられる。また、光学装置４４を冷却し、下ライトガイド５１の底面部５１２Ｂの孔５１２Ｂ５から排出された空気の一部は、吸気口５１２Ｂ４を通って光源装置４１１の後方側へと引き寄せられる。
このシロッコファン３２によって引き寄せられる過程で、一体化された第一レンズアレイ４１２、第二レンズアレイ４１３および偏光変換光学素子４１４間を通ってこれらを冷却した後、光源装置４１１内に入り込んで光源ランプ４１６および楕円面鏡４１７を冷却している。
この際、特に偏光変換光学素子４１４は、光源ランプ４１６からの光束が照射されることで大量の熱を発生するため、この偏光変換光学素子４１４を冷却することは、光学ユニット４の安定稼動および耐久性向上の面で有効である。
【００５９】
上記偏光変換光学素子４１４や光源装置４１１を冷却した空気は、下ライトガイド５１の光源収納部５１１の側面に形成された開口部５１１Ａと光源装置４１１を載置固定する固定板４１１Ｂとで形成される矩形状の隙間を通って、シロッコファン３２に吸引され、アッパーケース２１の側面部２１２に形成された排気口２１２Ａを通して排出される。
【００６０】
〔１−４．光学ユニットの放熱経路〕
次に、光学ユニット４の放熱経路について説明する。
光源装置４１１からの光束の照射により、光学装置４４の液晶パネル４４１Ｒ，４４１Ｇ，４４１Ｂおよび射出側偏光板４４３、クロスダイクロイックプリズム４４４、入射側偏光板４４２には熱が発生する。
【００６１】
先ず、各液晶パネル４４１Ｒ，４４１Ｇ，４４１Ｂの放熱経路について説明する。
液晶パネル４４１は、射出側防塵板４４１Ｅおよび入射側防塵板４４１Ｆとを備えており、射出側防塵板４４１Ｅおよび入射側防塵板４４１Ｆは、液晶パネル４４１が収納保持される保持枠４４６と接続されている。そのため、該液晶パネル４４１の熱は、射出側防塵板４４１Ｅおよび入射側防塵板４４１Ｆから、保持枠４４６へと放熱される。
この保持枠４４６は、保持枠４４６の光束入射側面に固定された熱伝導板４４７と接続されている。そのため、保持枠４４６に伝達された熱は、パネル冷却系Ａの冷却空気と熱交換されるとともに、熱伝導板４４７へと放熱される。
熱伝導板４４７は、下ライトガイド５１に取り付けられた熱伝導枠５１３，５１４の壁部５１３Ｂ，５１４Ｂと接続されており、熱伝導板４４７に伝達された熱は、上記パネル冷却系Ａの冷却空気と熱交換されるとともに、熱伝導枠５１３，５１４へと放熱される。
この際、熱伝導板４４７は、伝達された熱によって熱膨張し、該熱伝導板４４７の延出方向端部側が熱伝導枠５１３，５１４へ向って移動することとなるが、熱伝導枠５１３が下ライトガイド５１の底面部５１２Ｂに沿って進退移動することにより、熱伝導板４４７の熱膨張による変形が吸収される。従って、各液晶パネル４４１Ｒ，４４１Ｇ，４４１Ｂに発生する熱のばらつきに起因する熱伝導板４４７ごと熱膨張の差は、熱伝導枠５１３の移動によって吸収されるため、熱伝導板４４７に対する不均一な応力の発生が抑制される。
【００６２】
熱伝導枠５１３，５１４は、その取付部５１３Ａ，５１４Ａを介して下ライトガイド５１の底面部５１２Ｂと接続されており、この熱伝導枠５１３，５１４に伝達された熱は、上記パネル冷却系Ａによる冷却空気と熱交換されるとともに、下ライトガイド５１の底面部５１２Ｂへと放熱される。
下ライトガイド５１の底面部５１２Ｂに伝達された熱は、発泡体６に伝達されて、パネル冷却系Ａの孔５１２Ｂ５から排出された空気と熱交換されるとともに、上記シロッコファン３２によって、外部へと排出される。
【００６３】
次に、射出側偏光板４４３の放熱経路について説明する。
なお、液晶パネル４４１を収納する保持枠４４６と、射出側偏光板４４３とは、断熱性を有した樹脂類から構成されたスペーサ４４９によって互いの熱の伝達が遮断されているため、射出側偏光板４４３側から熱が各液晶パネル４４１Ｒ，４４１Ｇ，４４１Ｂに伝達されることはない。
射出側偏光板４４３の偏光膜４４３Ａは、光束の透過により熱を発生する。この偏光膜４４３Ａは、基板４４３Ｂと接続されており、この偏光膜４４３Ａに発生した熱は、パネル冷却系Ａによる冷却空気と熱交換されるとともに、基板４４３Ｂへと放熱される。
基板４４３Ｂは、クロスダイクロイックプリズム４４４の上下面に固定された台座４４５と接続されており、基板４４３Ｂに伝達された熱は、上記パネル冷却系Ａによる冷却空気と熱交換されるとともに、上下の台座４４５へと放熱される。
なお、クロスダイクロイックプリズム４４４で発生した熱も、このクロスダイクロイックプリズム４４４の上下に配置された台座４４５へと放熱されている。
【００６４】
クロスダイクロイックプリズム４４４の上方に固定された台座４４５は、筐体５内の内部空気と接触しており、上方に固定された台座４４５に伝達された熱は、上記パネル冷却系Ａによる冷却空気と熱交換が行われる。
クロスダイクロイックプリズム４４４の下方に固定された台座４４５は、下ライトガイド５１の底面部５１２Ｂと接続されており、下方に固定された台座４４５に伝達された熱は、底面部５１２Ｂに伝達される。
この底面部５１２Ｂに伝達された熱は、発泡体６に伝達され、パネル冷却系Ａの孔５１２Ｂ５から排出された空気と熱交換されるとともに、上記シロッコファン３２によって、外部へと排出される。
【００６５】
次に、入射側偏光板４４２の放熱経路について説明する。
入射側偏光板４４２も射出側偏光板４４３と同様に、光束の透過により偏光膜が熱を発生する。この偏光膜の熱は、入射側偏光板４４２の基板に伝達される。この基板は、底面部５１２Ｂに突設された偏光板ホルダ５１２Ｂ３により支持されているため、基板に伝達された熱は、偏光板ホルダ５１２Ｂ３を介して底面部５１２Ｂに伝達される。そして、この熱は、発泡体６に伝達され、パネル冷却系Ａの孔５１２Ｂ５から排出された空気と熱交換されて、上記シロッコファン３２によって、外部へと排出される。
【００６６】
〔１−５．第一実施形態の効果〕
上述のような本実施形態によれば、次のような効果がある。
（１−１）光学部品用筐体５の下ライトガイド５１の底面部５１２Ｂには、金属製の発泡体６が取り付けられており、この発泡体６は、多くの気孔を有するため、従来のフィン状のリブやヒートシンクに比べ、表面積が大きい。そのため、大幅に放熱性能を向上させることができる。
なかでも、本実施形態で使用された発泡体６は、スラリー発泡法で製造されたものであるため、比表面積が非常に大きく、放熱性能を確実に向上させることができる。
【００６７】
（１−２）また、発泡体６の孔は、冷却空気の流路に直交する一方の端面と他方の端面との間を連続しているため、発泡体６による通気抵抗が少なくなり、冷却空気の圧力損失を抑えることができる。従って、強制冷却による効果を損なわず、かつ、放熱性能を向上させることができ、効率的に冷却を行うことができる。このように、発泡体６を設けることで、底面部５１２Ｂの強制冷却による効果を低減させることなく、放熱性能を向上させることができるので、光学装置４４を冷却した後の空気であっても、充分に底面部５１２Ｂを冷却することができる。
【００６８】
（１−３）また、光学装置４４の射出側偏光板４４３や、入射側偏光板４４２は入射光束の一部が熱に変換されるため、多くの熱を発しやすい。液晶パネル４４１においても、液晶が光を吸収するため、多くの熱を発生しやすい。
底面部５１２Ｂは、放熱面積が拡大され、冷却空気による冷却効果が確保されているため、このような底面部５１２Ｂに光学装置４４及び入射側偏光板４４２の熱を伝達させることで、光学装置４４及び入射側偏光板４４２の熱を効率的に逃がすことができる。
（１−４）光学部品用筐体５の底面部５１２Ｂには、冷却空気を導くダクト５１２Ｂ７が形成されているので、このダクト５１２Ｂ７内に発泡体６を配置すればよく、ダクト５１２Ｂ７が形成されていない場合に比べ、発泡体６の配置が容易となる。
【００６９】
（１−５）また、ダクト５１２Ｂ７が形成されていない場合には、発泡体６のみで、冷却空気を導かなければならないので、湾曲部にも発泡体６を配置する必要がある。湾曲部に発泡体６を配置する場合には、孔が潰れないように、発泡体６を配置しなければならず、設置に手間を要する。
これに対し、本実施形態では、ダクト５１２Ｂ７が形成されているので、湾曲部Ｗには発泡体６を配置しなくても、空気を導くことができる。このように湾曲部Ｗに発泡体６を配置しない構成を採用できるので、発泡体６の配置に手間を要しない。
【００７０】
（１−６）さらに、光学部品用筐体５の光源収納部５１１の上面部に発泡体６を配置したので、光源収納部５１１の放熱面積を拡大することができ、放熱効率を高めることができる。また、光源収納部５１１の放熱効果を高めることにより、光源収納部５１１から光学部品収納部５１２側へ熱が伝達されてしまうことを防止でき、光学部品への影響を低減できる。
（１−７）また、光源収納部５１１付近の暖かい空気は自然対流により、上方へ上がってゆく。本実施形態では、発泡体６の孔は、光源収納部５１１の上面部との当接面と、この当接面に対向する面との間を連続しているので、自然対流による空気の流れをじゃますることなく、放熱効率を向上させることができる。
【００７１】
（１−８）さらに、発泡体６を溶接、ろう付け、熱伝導性接着剤、熱伝導性両面テープの何れかにより、光学部品用筐体５の底面部５１２Ｂ、光源収納部５１１の上面部に取り付けているので、発泡体６への熱の伝達を阻害することがない。そのため、効率よく、光学部品用筐体５の放熱を行うことができる。
（１−９）以上のように、本実施形態のプロジェクタ１は、冷却空気による冷却効果を阻害せず、放熱性能が向上した光学部品用筐体５を備えているので、光学部品用筐体５を冷却するためのファン３１の回転数を減少させることができ、プロジェクタ１の低騒音化、及び小型化を図ることができる。
【００７２】
〔２．第二実施形態〕
次に、図１２を用いて、本発明の第二実施形態について説明する。尚、以下の説明では、既に説明した部分と同一の部分については、同一符号を付してその説明を省略する。
〔２−１．第二実施形態の構成〕
前記実施形態では、光学装置４４の上方に配置された軸流吸気ファン３１により、アッパーケース２１の上面部２１１の吸気口２１１Ａから冷却空気を取り込み、この空気を上ライトガイド５２の孔５２１Ａから光学部品用筐体５内部に導入する構造であったが、本実施形態では、図１２に示すように、ロアーケース２２の底面部２２１に形成された吸気口２２１Ａから冷却空気を吸引し、光学部品用筐体５内部に導入する構造となっている。
【００７３】
このような第二実施形態におけるパネル冷却系Ａの冷却経路について説明する。
本実施形態のパネル冷却系Ａでは、外装ケース２の底面部２２１に形成された吸気口２２１Ａから吸気された外部の冷却空気は、ダクト（図示略）によって光学装置４４の下方へと導かれる。このうちの一部の冷却空気は、下ライトガイド５１の底面部５１２Ｂの孔５１２Ｂ５から光学部品用筐体５内部に導入される。
光学部品用筐体５内部に導入された冷却空気は、射出側偏光板４４３と保持枠４４６との間の隙間、または、保持枠４４６の光束入射側に入り込み、各液晶パネル４４１Ｒ，４４１Ｇ，４４１Ｂの光束射出側および光束入射側、保持枠４４６、偏光板４４２，４４３を冷却する。
そして、この空気は、第一上ライトガイド５２１の孔５２１Ａから光学部品用筐体５外部に排出される。
光学部品用筐体５外部に排出された空気は、上ライトガイド５２とこの上ライトガイド５２の上方に配置された制御基板との間の空間に排気される。
【００７４】
一方、外装ケース２の吸気口２２１Ａから吸気され、光学装置４４の下方へと導かれた冷却空気のうち他の一部の冷却空気は、下ライトガイド５１の底面部５１２Ｂのダクト５１２Ｂ７に導かれ、底面部５１２Ｂを冷却する。なお、ダクト５１２Ｂ７の直線部には発泡体６が配置されているため、空気は、この発泡体６の孔を通り、光学ユニット４の前方側に送風される。
さらに、この空気は、最終的に光源装置４１１の近傍に配置されたシロッコファン３２に引き寄せられ、アッパーケース２１の側面部２１２に形成された排気口２１２Ａを通して排出される。
【００７５】
次に、光源冷却系Ｂについて説明する。
下ライトガイド５１の底面部５１２Ｂのダクト５１２Ｂ７に導かれ、底面部５１２Ｂを冷却した空気の一部は、シロッコファン３２により、光学部品用筐体５内および吸気口５１２Ｂ４を通って光源装置４１１の後方側へと引き寄せられる。また、光学装置４４を冷却した空気のうち、一部の空気は、シロッコファン３２により光源装置４１１の後方側へと引き寄せられる。
そして、これらの空気は、第一実施形態と同様に、光源装置４１１内に入り込んで光源ランプ４１６および楕円面鏡４１７を冷却する。
なお、光学ユニット４の放熱経路は、第一実施形態と略同様であるが、下ライトガイド５１の底面部５１２Ｂ及び発泡体６に伝達された熱が、光学装置４４を冷却した後の空気とではなく、外装ケース２の吸気口２２１Ａから吸気された冷却空気と熱交換される点が異なっている。
【００７６】
〔２−２．第二実施形態の効果〕
このような、第二実施形態によれば、第一実施形態の（１−１）〜（１−９）と同様の効果を奏することができる上、以下の効果を奏することができる。
（２−１）本実施形態では、外装ケース２の底面部２２１の吸気口２２１Ａから吸気された冷却空気により、光学部品用筐体５の底面部５１２Ｂを直接冷却する構成となっている。そのため、底面部５１２Ｂをさらに効率よく冷却することができるので、光学装置４４及び入射側偏光板４４２から底面部５１２Ｂへの放熱をさらに効果的に行うことができる。
（２−２）また、液晶パネル４４１Ｒ，４４１Ｇ，４４１Ｂ等を冷却した空気は、第一上ライトガイド５２１の孔５２１Ａから、上ライトガイド５２とこの上ライトガイド５２の上方に配置された制御基板との間の空間に排気される。これにより、上ライトガイド５２も冷却することができ、光学部品用筐体５内部に収納されている光学部品の冷却をさらに効果的に行うことができる。
【００７７】
なお、本発明は前述の実施の形態に限定されるものではなく、本発明の目的を達成できる範囲での変形、改良等は本発明に含まれるものである。
例えば、前記実施形態では、入射側偏光板４４２を保持する偏光板ホルダ５１２Ｂ３を光学部品用筐体５の底面部５１２Ｂに形成し、入射側偏光板４４２の熱を底面部５１２Ｂに伝達する構成としたが、このような構成に限らず、偏光板ホルダを上ライトガイド５２に設け、入射側偏光板４４２の熱を上ライトガイド５２に伝達する構成としてもよい。このように、上ライトガイド５２にも熱を分散させることで、さらに放熱効率を向上させることができる。また、この場合には、上ライトガイド５２上に発泡体６を設けてもよい。この場合、発泡体６の孔が、上ライトガイド５２との当接面及びこの当接面に対向する面との間を連続していることが好ましい。発泡体６を設けることで、上ライトガイド５２の放熱効率を向上させることができる。また、発泡体６の孔が上ライトガイド５２との当接面及びこの当接面に対向する面との間を連続することで、自然対流を阻害することなく、放熱面積を向上させることができる。
【００７８】
さらに、前記実施形態では、光源収納部５１１の上面に発泡体６を設置したが、この発泡体６を設置しない構成としてもよい。発泡体６を取り付けない構造とすることで、製造コストの低減を図ることができる。
また、前記実施形態では、光学部品用筐体５の光学部品収納部５１２の底面部５１２Ｂにダクト５１２Ｂ７を形成し、このダクト５１２Ｂ７の直線部Ｌにのみ発泡体６を配置したが、湾曲部Ｗにも発泡体を設置してもよい。このようにすれば、底面部５１２Ｂの放熱面積をより増大することができ、さらに放熱性能を向上させることができる。
【００７９】
また、前記実施形態では、底面部５１２Ｂにダクト５１２Ｂ７を形成したが、ダクト５１２Ｂ７は形成されていなくてもよい。この場合には、発泡体６により、冷却空気を所定方向に導けばよい。
さらに、前記実施形態では、光学部品用筐体５の底面部５１２Ｂに発泡体６を取り付けたが、このような構成には限られず、例えば、側面部５１２Ａに沿って冷却空気が流れる場合には、側面部５１２Ａに発泡体６を取り付ければよい。
また、第二実施形態では、光学部品用筐体５の底面部５１２Ｂを冷却した空気を孔５１２Ｂ４に通し、光源装置４１１側に導いていたが、このような構造に限らず、例えば、底面部５１２Ｂを冷却した空気を液晶パネル４４１Ｒの下方に位置する孔５１２Ｂ５に導入する構成としてもよい。
【００８０】
【図面の簡単な説明】
【図１】第一実施形態のプロジェクタを上方から見た全体斜視図。
【図２】前記実施形態におけるプロジェクタの内部構造を表す図。
【図３】前記実施形態におけるプロジェクタの光学系を示す模式図。
【図４】光学装置本体の斜視図。
【図５】光学装置本体の分解斜視図。
【図６】光学ユニットを示す斜視図。
【図７】光学部品用筐体を底面部側から見た斜視図。
【図８】前記光学ユニットの内部を示す平面図。
【図９】前記プロジェクタのパネル冷却系Ａの冷却流路を示す斜視図。
【図１０】前記プロジェクタのパネル冷却系Ａ及び光源冷却系Ｂを示す断面図。
【図１１】前記プロジェクタの光源冷却系Ｂの冷却流路を示す斜視図。
【図１２】第二実施形態における冷却系を示す断面図。
【符号の説明】
１…プロジェクタ、５…光学部品用筐体、６…発泡体、４４…光学装置、５１２Ｂ７…ダクト、５１２Ｂ…底面部、Ｌ…直線部、Ｗ…湾曲部
【図１】
2004246055.tif 000003
【図２】
2004246055.tif 000004
【図３】
2004246055.tif 000005
【図４】
2004246055.tif 000006
【図５】
2004246055.tif 000007
【図６】
2004246055.tif 000008
【図７】
2004246055.tif 000009
【図８】
2004246055.tif 000010
【図９】
2004246055.tif 000011
【図１０】
2004246055.tif 000012
【図１１】
2004246055.tif 000013
【図１２】
2004246055.tif 000014